(57)【要約】【課題】  従来の除染用ジャグおいては、気送管内を自動的に気送させることができ、長尺棒状保持部材等を設けずに、ブラシ体を有するジャグを形成すること。【解決手段】  気送管内で気送させて該気送管の内壁面に付着した誘導放射性物質を除染するジャグであって、略円柱状または略円筒状を呈するジャグ本体と、金属製ブラシ体とからなり、前記ジャグ本体は、少なくとも本体部と、該本体部に螺着させるナット部とから構成され、前記金属製ブラシ体は、略コの字状支持体に支持させ、該支持体を前記本体部の外周面に螺旋状に巻回させてジャグ本体の外周面に前記金属製ブラシ体を突出させて設け、前記本体部に前記ナット部を螺着させることにより前記略コの字状支持体を固定させることにより、除染用ジャグは、長尺棒状保持部材等を設けずに形成されているため、気送管内で自動的に気送できるようになる。【選択図】図１
2006084336.tif 000002
【特許請求の範囲】
【請求項１】
気送管内で気送させて該気送管の内壁面に付着した誘導放射性物質を除染するジャグであって、
略円柱状または略円筒状を呈するジャグ本体と、
金属製ブラシ体とからなり、
前記ジャグ本体は、少なくとも本体部と、該本体部に螺着させるナット部とから構成され、
前記金属製ブラシ体は、略コの字状支持体に支持させ、
該支持体を前記本体部の外周面に螺旋状に巻回させてジャグ本体の外周面に前記金属製ブラシ体を突出させて設け、前記本体部に前記ナット部を螺着させることにより前記略コの字状支持体を固定させること
を特徴とする除染用ジャグ。
【請求項２】
前記ジャグ本体には、
両端部に金属製ブラシ体の外周径より小径のテーパー部を形成させて気送による接触抵抗を減少させること
を特徴とする請求項１に記載の除染用ジャグ。
【請求項３】
前記ジャグ本体は、
内部に空洞部を設けて軽量化したこと
を特徴とする請求項１または２に記載の除染用ジャグ。
【請求項４】
前記金属製ブラシ体は、
直径が略０．０２ｍｍ〜０．１ｍｍ程度のワイヤ状であること
を特徴とする請求項１に記載の除染用ジャグ。
【発明の詳細な説明】
【技術分野】
【０００１】
本発明は、例えば、放射性物質を収納した搬送用ジャグを気送したことにより該搬送用ジャグを形成するポリエチレン等の樹脂が気送管内に付着した際に、該放射性を帯びた樹脂（以下誘導放射性物質という）を金属製ブラシ体を用いて物理的に除染する除染用ジャグに関するものである。
【背景技術】
【０００２】
ウラン、プラセオジム、アメリシウム、キュリウム、セシウム、ストロンチウム、コバルト、マンガンまたはニッケル等の放射性物質を施設内等で搬送する場合には、例えば、該放射性物質を搬送用ジャグ等に収納して気送管内を気送する方法が用いられている。
【０００３】
しかし、搬送用ジャグ内に放射性物質が収納された状態で気送管内を気送すると、該搬送用ジャグは、一般的にポリエチレン等の樹脂で形成されているため、該搬送用ジャグと気送管の内壁面とが接触した際に、該搬送用ジャグの樹脂が擦れてその一部が気送管の内壁面に付着することがある。
【０００４】
この気送管の内壁面に付着した樹脂は、搬送用ジャグ内に放射性物質が収納されているため、該放射性物質に誘導されて放射性を帯びた樹脂（誘導放射性物質）になっており、この誘導放射性物質が付着したままの状態で長期間気送管を使用することは、環境上好ましくないことから、所定の期間毎に各種の化学的または物理的な方法で除染されている。
【０００５】
従来、この種の技術としては、例えば、配管，機器，設備等の除染対象物内に付着した放射性同位元素を有機酸または酸化剤と有機酸により化学除染した後、前記除染対象物内の残留不溶解物を磁気捕集して除去する放射能汚染除去方法があり、保持部材にゴム，ブラシ等の磁性体を取付けた放射能汚染除去装置がある（特許文献１参照）。
【０００６】
この特許文献１の公知技術においては、長尺棒状保持部材にブラシ等の磁性体を取付けたものを用い、細管や弁箱等の細部とか狭域部にまで入り込ませてより確実に不溶解物を除去するというものである。
【０００７】
【特許文献１】特開２０００−２１４２９３号公報
【発明の開示】
【発明が解決しようとする課題】
【０００８】
しかしながら、前記特許文献１の公知技術においては、長尺棒状保持部材を持って手動等で除染作業を行うものであって、気送管内でブラシを気送させて自動的に除染作業を行うことができないという問題点を有している。
【０００９】
従って、従来の除染用ジャグにおいては、気送管内を自動的に気送させることができるようにすることと、長尺棒状保持部材等を設けずに、ブラシ体を有するジャグを形成するということに解決しなければならない課題を有している。
【課題を解決するための手段】
【００１０】
上記した従来例の課題を解決する具体的な手段として本発明に係る除染用ジャグは、気送管内で気送させて該気送管の内壁面に付着した誘導放射性物質を除染するジャグであって、略円柱状または略円筒状を呈するジャグ本体と、金属製ブラシ体とからなり、前記ジャグ本体は、少なくとも本体部と、該本体部に螺着させるナット部とから構成され、前記金属製ブラシ体は、略コの字状支持体に支持させ、該支持体を前記本体部の外周面に螺旋状に巻回させてジャグ本体の外周面に前記金属製ブラシ体を突出させて設け、前記本体部に前記ナット部を螺着させることにより前記略コの字状支持体を固定させることを最も主要な特徴とする。
【００１１】
この発明において、前記ジャグ本体には、両端部に金属製ブラシ体の外周径より小径のテーパー部を形成させて気送による接触抵抗を減少させること；前記ジャグ本体は、内部に空洞部を設けて軽量化したこと；前記金属製ブラシ体は、直径が略０．０２ｍｍ〜０．１ｍｍ程度のワイヤ状であること；を付加的な要件として含むものである。
【発明の効果】
【００１２】
本発明に係る除染用ジャグは、気送管内で気送させて該気送管の内壁面に付着した誘導放射性物質を除染するジャグであって、略円柱状または略円筒状を呈するジャグ本体と、金属製ブラシ体とからなり、前記ジャグ本体は、少なくとも本体部と、該本体部に螺着させるナット部とから構成され、前記金属製ブラシ体は、略コの字状支持体に支持させ、該支持体を前記本体部の外周面に螺旋状に巻回させてジャグ本体の外周面に前記金属製ブラシ体を突出させて設け、前記本体部に前記ナット部を螺着させることにより前記略コの字状支持体を固定させることにより、除染用ジャグは、長尺棒状保持部材等を設けずに形成されているため、気送管内で自動的に気送されるようになり、その際に、本体部の外周面に突出させて設けられたブラシ体により、気送管内を除染できるようになるという優れた効果を奏する。
【発明を実施するための最良の形態】
【００１３】
少なくとも本体部と、該本体部に螺着させるナット部とから構成される略円柱状または略円筒状を呈するジャグ本体と、略コの字状支持体に支持された直径が略０．０２ｍｍ〜０．１ｍｍ程度のワイヤ状の金属製ブラシ体とからなり、前記本体部の外周面に螺旋状に巻回させてジャグ本体の外周面に前記金属製ブラシ体を突出させて設け、前記本体部に前記ナット部を螺着させることにより前記略コの字状支持体を固定させ、前記ジャグ本体の両端部に金属製ブラシ体の外周径より小径のテーパー部を形成させて気送による接触抵抗を減少させると共に、内部に空洞部を設けて軽量化することにより達成される。
【実施例１】
【００１４】
次に、本発明を具体的な実施の形態に基づいて詳しく説明する。
本発明の実施の形態に係る実施例１の除染用ジャグを図１乃至図３を用いて説明する。図１に、実施例１の除染用ジャグ１の略示的な断面図を示し、図２に、除染用ジャグ１の略示的な正面図を示してある。除染用ジャグ１は、略円柱状または略円筒状を呈するジャグ本体２と、該ジャグ本体２の外周面に突出させて設けられた金属製ブラシ体３とからなる。
【００１５】
この金属製ブラシ体３としては、例えば、ステンレス等の金属を直径が略０．０２ｍｍ〜０．１ｍｍ程度、好ましくは直径が略０．０４ｍｍ〜０．０６ｍｍ程度のワイヤ状にしたものを用いることができる。
【００１６】
前記金属製ブラシ体３は、図３に示したように、略コの字状支持体４に支持されている。この略コの字状支持体４は、例えば、板状の金属等を略コの字状に折り曲げて形成しており、その端部４ａは、更に内側に折り曲げられて鈎状に形成されている。
【００１７】
そして、この略コの字状支持体４内に金属製ブラシ体３の端部を配設した状態、または図３に示したように略コの字状支持体４内で金属製ブラシ体３をＵ字状に折り返した状態で、該略コの字状支持体４の両端部を内側に押圧する、即ち略コの字状支持体４の端部４ａ側（開口側）の間隔が狭くなるように押圧することにより、略コの字状支持体４で金属製ブラシ体３を支持することができるのである。この際、前記Ｕ字状に折り返した状態の金属製ブラシ体３を略コの字状支持体４で支持する場合には、図３に示したように、Ｕ字状に折り返した金属製ブラシ体３の内側に、例えば、丸状または多角形状の押さえ棒５を配設して前記金属製ブラシ体３の脱去を防止することが好ましい。
【００１８】
前記ジャグ本体２は、本体部６と、ナット部７とから構成されている。前記本体部６の略中央部には、前記略コの字状支持体４に支持された金属製ブラシ体３が配設される胴部６ａが形成されており、一方の端部には、外周がナット形状に形成された本体ナット部６ｂが形成され、他方の端部には、ネジ部６ｃが形成されている。
【００１９】
また、前記ナット部７には、ネジ部７ａが形成されており、該ネジ部７ａを前記本体部６のネジ部６ｃに螺着できようになっている。つまり、該本体部６のネジ部６ｃと前記ナット部７のネジ部７ａとを螺着させ、その際、外周の一部がナット状に形成されたナット部７と本体ナット部６ｂとに、例えば、図示していないスパナ等の工具を嵌合させることにより、本体部６と、ナット部７との螺着・合体が容易にできるようになっているのである。
【００２０】
略コの字状支持体４に支持された金属製ブラシ体３をジャグ本体２に配設させる場合には、該ジャグ本体２の外周面、即ち該ジャグ本体２の本体部６の胴部６ａの外周面に前記略コの字状支持体４に支持された金属製ブラシ体３を螺旋状に巻回させて設けるようにすれば良い。この際、螺旋状に巻回させる略コの字状支持体４のギャップを略０．５ｍｍ程度設けることが良い。
【００２１】
また、本体部６（本体ナット部６ｂ）とナット部７とのそれぞれに当接するところに、スペーサ８を設けて略コの字状支持体４の固定が容易になるようにすることが好ましい。このスペーサ８は、一方の面を水平に形成して本体部６（本体ナット部６ｂ）またはナット部７と密着するようにし、他方の面を螺旋状にして略コの字状支持体４に支持された金属製ブラシ体３がジャグ本体２の外周面に螺旋状に巻回しやすくすることが好ましい。
【００２２】
これらジャグ本体２と金属製ブラシ体３とを組み合わせて除染用ジャグ１を製造する際には、まずジャグ本体２の本体部６の本体ナット部６ｂにスペーサ８を配設し、該スペーサ８の螺旋状に形成された面に沿わせると共に、前記ジャグ本体２の外周面、即ち該ジャグ本体２の本体部６の胴部６ａの外周面に略コの字状支持体４に支持された金属製ブラシ体３を螺旋状に巻回させて前記ジャグ本体２の外周面に前記金属製ブラシ体３を突出させて設ける。この巻回させた略コの字状支持体４の端部にスペーサ８を配設した後、前記本体部６のネジ部６ｃにナット部７のネジ部７ａを合わせて該ナット部７を螺着させる。このように本体部６とナット部７とにより略コの字状支持体４を固定する、即ち該略コの字状支持体４に支持された金属製ブラシ体３を固定することにより、除染用ジャグ１を製造することができる。
【００２３】
このようにして形成された除染用ジャグ１を使用し、該除染用ジャグ１を図示していない気送管内で自動的に気送させることにより、長尺棒状保持部材等を設けることなく、該気送管の内壁面に付着したウラン、プラセオジム、アメリシウム、キュリウム、セシウム、ストロンチウム、コバルト、マンガンまたはニッケル等の放射性物質の誘導放射性物質を前記除染用ジャグ１の金属製ブラシ体３で削剥して、該誘導放射性物質を物理的に除染することができるのである。
【実施例２】
【００２４】
本発明の実施の形態に係る実施例２の除染用ジャグを図４乃至図５を用いて説明する。なお、この実施例２においては、前記実施例１のジャグ本体２の形状を変えたものであり、その他の構成については、前記実施例１と実質的に同一であるため、前記実施例１と実質的に同一の部分については、同一の符号を付し、説明が重複するため、その詳細な説明は省略する。
【００２５】
図４に、実施例２の除染用ジャグ１１の略示的な断面図を示し、図５に、除染用ジャグ１１の略示的な正面図を示してある。除染用ジャグ１１は、略円柱状または略円筒状を呈するジャグ本体１２を備えており、該ジャグ本体１２は、本体部１３と、ナット部１４とから構成されている。
【００２６】
ジャグ本体１２の両端部、即ち該ジャグ本体１２の本体部１３の本体ナット部１３ｂと、ナット部１４とには、該ジャグ本体２の外周面、即ち該ジャグ本体２の本体部１３の胴部１３ａの外周面に略コの字状支持体４に支持された金属製ブラシ体３を螺旋状に巻回させ、前記ジャグ本体１２の外周面から突出させて設けた前記金属製ブラシ体３の外周径より小径のテーパー部１３ｃ、１４ａを形成させることにより、除染用ジャグ１１を気送管内で気送させる際、該除染用ジャグ１１と該気送管の内壁面との接触抵抗を減少させて該除染用ジャグ１１の気送を容易にすることができるようになり、テーパー部１３ｃが金属製ブラシ体３の外周径より小径であるため、該金属製ブラシ体３による誘導放射性物質の削剥の妨げにはならないのである。
【００２７】
ジャグ本体１２の内部には、空洞部１５を設けて除染用ジャグ１１を軽量化して気送を容易に行えるようにすることが好ましく、更に、この空洞部１５には、例えば、端部、即ち本体部１３の本体ナット部１３ｂに栓１６を配設させて封止し、その内部に削剥した誘導放射性物質が入らないようにすることが好ましい。この栓１６は、例えば、外面側の一部に溝部１６ａを形成すると共に、ネジ部１６ｂを形成し、前記本体ナット部１３ｂに栓１６を螺着できるようにすると、該栓１６の脱着を容易にできる。
【００２８】
また、ジャグ本体１２の外周面、即ちジャグ本体１２の本体部１３の胴部１３ａの外周面に円筒状の支持台１７を配設させても良い。
【実施例３】
【００２９】
本発明の実施の形態に係る実施例３の除染用ジャグを図６を用いて説明する。なお、この実施例３においては、前記実施例１乃至実施例２の金属製ブラシ体３を配設させる構成を変えたものであり、その他の構成については、前記実施例１乃至実施例２と実質的に同一であるため、前記実施例１乃至実施例２と実質的に同一の部分については、同一の符号を付し、説明が重複するため、その詳細な説明は省略する。
【００３０】
図６に、実施例３の除染用ジャグ２１の略示的な断面図を示してある。この除染用ジャグ２１においては、本体部１３の本体ナット部１３ｂ側と、ナット部１４側とのそれぞれに略コの字状支持体２２ａ、２２ｂに支持された金属製ブラシ体２３ａ、２３ｂをジャグ本体１２の外周面、即ち該ジャグ本体１２の本体部１３の胴部１３ａの外周面に螺旋状に巻回させて設けてある。つまり、ジャグ本体１２の両端部寄りに金属製ブラシ体２３ａ、２３ｂを設けている。
【００３１】
このように金属製ブラシ体２３ａ、２３ｂを本体ナット部１３ｂ側と、ナット部１４側とのそれぞれに分割して設けた場合においても、前記本体部１３の胴部１３ａの外周面に前記略コの字状支持体２２ａ、２２ｂに対応させて円筒状の支持台２４ａ、２４ｂを配設させても良く、また、例えば、図６に示したように、除染用ジャグ２１のジャグ本体１２の略中央部にブッシュ２５を配設しても良い。
【００３２】
この除染用ジャグ２１を製造する際には、まずジャグ本体１２の本体部１３の本体ナット部１３ｂにスペーサ８を配設し、該スペーサ８の螺旋状に形成された面に、前記ジャグ本体１２の外周面、即ち該ジャグ本体１２の本体部１３の胴部１３ａの外周面に略コの字状支持体２２ｂに支持された金属製ブラシ体２３ｂを螺旋状に巻回させて前記ジャグ本体１２の外周面に前記金属製ブラシ体２３ｂを突出させて設ける。この巻回させた略コの字状支持体２２ｂの端部にスペーサ８を配設してブッシュ２５を配設し、更にスペーサ８を配設した後、前記ジャグ本体１２の外周面に略コの字状支持体２２ａに支持された金属製ブラシ体２３ａを螺旋状に巻回させて前記ジャグ本体１２の外周面に前記金属製ブラシ体２３ａを突出させて設けてからスペーサ８を配設する。その後、本体部１３にナット部１４を螺着させて前記略コの字状支持体２２ａ、２２ｂを固定させることにより、該略コの字状支持体２２ａ、２２ｂに支持された金属製ブラシ体２３ａ、２３ｂを固定させることにより、除染用ジャグ２１を製造することができる。
【図面の簡単な説明】
【００３３】
【図１】本発明の実施例１の形態に係る除染用ジャグを略示的に示した断面図である。
【図２】同除染用ジャグの略示的な正面図である。
【図３】同除染用ジャグにおける略コの字状支持体に支持された金属製ブラシ体を拡大し略示的に示した正面図である。
【図４】本発明の実施例２の形態に係る除染用ジャグを略示的に示した断面図である。
【図５】同除染用ジャグの略示的な正面図である。
【図６】本発明の実施例３の形態に係る除染用ジャグを略示的に示した断面図である。
【符号の説明】
【００３４】
１、１１、２１  除染用ジャグ
２、１２  ジャグ本体
３、２３ａ、２３ｂ  金属製ブラシ体
４、２２ａ、２２ｂ  略コの字状支持体
４ａ  略コの字状支持体の端部
５  押さえ棒
６、１３  本体部
６ａ、１３ａ  本体部の胴部
６ｂ、１３ｂ  本体部の本体ナット部
６ｃ  本体部のネジ部
７、１４  ナット部
７ａ  ナット部のネジ部
８  スペーサ
１３ｃ  本体部のテーパー部
１４ａ  ナット部のテーパー部
１５  空洞部
１６  栓
１６ａ  溝部
１６ｂ  ネジ部
１７、２４ａ、２４ｂ  支持台
２５  ブッシュ
【図１】
2006084336.tif 000003
【図２】
2006084336.tif 000004
【図３】
2006084336.tif 000005
【図４】
2006084336.tif 000006
【図５】
2006084336.tif 000007
【図６】
2006084336.tif 000008